(57)【特許請求の範囲】
【請求項１】
同期光学ネットワーク標準信号の性能を監視する装置であって、
標準の光学信号が与えられ、該標準の光学信号を電気信号に変換する手段であって、該電気信号がフレーミング信号、該フレーミング信号に関連するデータ信号、及びノイズを含む、手段、
前記電気信号からフレーミング信号をフィルタ除去するとともに、該ノイズ及び該フレーミング信号に関連するデータ信号を該フレーミング信号のタイムスロット内に残すための、フィルタ除去手段、及び
標準の光学信号の品質の測定基準として用いるために、該データ信号のパワーから該ノイズのパワーを監視用に区別する手段
を備えることを特徴とする装置。
【請求項２】
前記区別する手段が、
比較的低いノイズパワーと比較的高いデータ信号パワーとの間の差を大きくするように、受信信号のパワーに応答して電圧信号を供給する二乗法則回路、及び
該低いノイズパワーに応答してビデオフレーミング信号ノイズの電圧をビジュアル化するために、該二乗法則回路によって供給された電圧信号をディスプレイに提供するようフィルタリングするビデオローパスフィルタ
を含む請求項１記載の装置。
【請求項３】
前記二乗法則回路はダイオードである請求項２記載の装置。
【請求項４】
前記フィルタ除去手段がノッチフィルタである請求項１記載の装置。
【請求項５】
前記ノッチフィルタが、２本の５０オウム長さの伝送ライン、及び２本の１／４波長スタブを有し、前記２個のスタブの内一方がショートされ他方がオープンエンドとなっている請求項４記載の装置。
【請求項６】
ＳＯＮＥＴ標準信号の性能を監視する方法であって、
光学信号を、フレーミング信号、該フレーミング信号に関連するデータ信号、及びノイズを含む電気信号に変換するステップ、
該フレーミング信号のタイムスロット内に該ノイズを残し該データ信号のパワーが影響を受けないようにしながら該フレーミング信号を該電気信号からフィルタ除去するステップ、及び
フィルタ除去された信号のフレーミング信号タイムスロット内のノイズパワーを表示するステップ
からなる方法。
【請求項７】
表示する前に、フレーミング信号タイムスロット内の低いノイズパワーのレベルと高いデータ信号パワーのレベルの差を広げるように該フィルタ除去された信号が二乗法則回路で処理される請求項６記載の方法。
【請求項８】
請求項７記載の方法において、低いノイズパワーに応じてビデオフレーミング信号ノイズの電圧を表示するステップを実行するために、該フィルタ除去された信号が該二乗法則回路で処理された後にビデオローパスフィルタによってフィルタリングされてディスプレイに提供される方法。
【発明の詳細な説明】
【０００１】
【発明の属する技術分野】
本発明は、フレミング信号の品質を検査することにより、標準のＳＯＮＥＴ（synchronous optical network）の信号の性能を監視する技術に関する。
【０００２】
【従来の技術】
ＳＯＮＥＴ標準は、データレートと、データフォーマットと、ネットワークセグメントと、ネットワーク阻止と、他のネットワーク阻止と、光学通信ネットワークの端末間の性能を確保するのに重要な他のファクタを包括する基準のフィールドセットを定義している。
【０００３】
現行のＳＯＮＥＴシステムは、性能監視識別子例えば、フレームの喪失（ＬＯＦ）抽出するための、ＳＯＮＥＴフレームヘッダ内の個々のビットに頼っている。このような抽出は、光学信号の再生を繰り返して電気信号に変換し、それを増幅し、そしてその後、光学信号として再度生成するようなシステムでは比較的容易である。
【０００４】
しかし、全光再生システムにおいては、個々のビットはセクション、あるいはラインネットワーク要素例えば全光再生期あるいは全光クロスコネクトではもはや利用可能ではない。個々のビットが存在しないことにより、全光システムの性能監視の問題が複雑となる。
【０００５】
【発明が解決しようとする課題】
本発明は、光学通信システムの性能監視の技術を改善することである。このよな監視は健全なネットワーク動作にとって重要なものである。
【０００６】
【課題を解決するための手段】
本発明は、ＳＯＮＥＴ型の標準に適合した光学通信システムの性能監視の技術を改善する。具体的に説明すると、本発明は、ＳＯＮＥＴ信号のスペクトラム解析を実行し、そこからフレミング信号を区別して信号の各フレームのスタート時を特定し、そのタイムスロット内に残ったエネルギーを信号の性能測定識別子として用いる。
【０００７】
ＳＯＮＥＴトラフィックのスペクトラム解析を用いることにより、信号の個々のビットにアクセスする必要がなくなり、これにより性能監視のプロセスを単純化出来る。
【０００８】
本発明は、ＳＯＮＥＴフレミングシーケンスは信号の残りの部分とは異なる（これは通常はるかにランダムである）スペクトラム構造を有するという認識に基づいている。特に変調領域解析により、この差を認識し、そしてフレミング信号と、残りの信号との間の差を時間の関数として示すことが出来る。このようにして、ＳＯＮＥＴフレミングパルスは実際の個々のデータビットにアクセスすることなく、ＳＯＮＥＴトラフィックから直接抽出される。
【０００９】
特にフレミング信号が取り除かれると、そのタイムスロット内に蓄積されたノイズが残る。ＯＣ−Ｎトラフィックに対するフレミング信号はＡ１のＮバイトと、Ａ２のＮバイトの周期的シーケンスである。このノイズはフレミング信号の品質の測定値（基準）であり、フレームの喪失を示す。
【００１０】
このノイズはデータパルスを信号の残りの部分よりも低いパワーレベルを有し、その結果検出されたフレミング信号ノイズのタイムスロットは検査することにより、容易に認識でき、それをフレミング信号の品質の監視に用いることが出来る。このような検査を容易にするために、現時点で利用可能な信号は、二乗法則ディテクタを最初に通過させることが出来る。
【００１１】
【課題を解決するための手段】
図１に示すシステム１０において、受信した光学キャリア（ＯＣ）が最初に標準の光学電子装置１２、例えばＰＩＮダイオドに与えられ、標準の光学電子装置１２が光学信号を電気信号に変換している。この信号はその後ノッチフィルタ１４に与えられ、このノッチフィルタ１４が繰り返すフレミング信号をフィルタ除去し、かつそのタイムスロットの内に残った信号に関連するノイズをより低いパワーで、かつより高いランダム特性をもったデータ信号パワーで通過させる。
【００１２】
ノッチフィルタ１４の出力は次に二乗法則ディテクタ１６に与えられ、二乗法則ディテクタ１６が低いパワーのフレミング信号ノイズと、高いパワーのデータ信号等を区別し、その結果ビジュアルディスプレイでフレミング信号ノイズと、その決定されたレベル等を容易に認識出来る。フレミング信号ノイズはある指定されたレベル以上であると、検出された時に修正動作がその後取られる。
【００１３】
図２には、電気信号に変換された後の、光学ＳＯＮＥＴ信号を処理する電子回路の代表的な実施例２０を点線１００内に示す。
【００１４】
特に２０は５０オウムの端子２１を有し、この端子２１に変換された電気信号が与えられ、この端子２１は回路内の反射の影響を最小にしている。この後に、ローパスノッチフィルタ２２が接続され、このローパスノッチフィルタ２２は例えば２個の５０オウムの長さの伝送ラインA，伝送ラインBと２個の１／４波長スタブ２２C，短路線22Dとを有し、そのうち１／４波長スタブ２２Cはオープンエンドであり、短路線22Dは設置されており、これによりフレミング信号ノイズとデータペイロードを通過させるが、フレミング信号は阻止するようなノッチフィルタを構成する。
【００１５】
このためこのフィルタは、Ｎ／８（１／ＴＤ）でノッチを生成するようよう設計されている。ここでＮは１・・・８でＴＤはＯＣトラフィクのデータレイトである。
フィルタ出力は、その後ダイオード２４に与えられダイオード２４が二乗回路をとして機能して、低パワー低電圧信号を与えるが、高いパワーに対しては高電圧を与えて、低パワーと高パワーとの間を容易にしている。
【００１６】
これにより、高いデータパワーを低いフレーミング信号ノイズパワーから区別が出来るようになる。ビデオローパスフィルタ２６は、増幅機２８での増幅後に、監視動作に用いられるようビジュアル化されるビデオフレーミング信号ノイズ電圧を選択的に通過させる。
【００１７】
特許請求の範囲の発明の要件の後に括弧で記載した番号がある場合は、本発明の一実施例の対応関係を示すものであって、本発明の範囲を限定するものと解釈すべきではない。
【図面の簡単な説明】
【図１】本発明により、フレミング信号を抽出するＳＯＮＥＴシステムの光学キャリア信号から、再生する装置のブロック図。
【図２】図１の一時実施例の基本的構成要素のブロック図。
【符号の説明】
１０  システム
１２  標準の光学電子装置
１４  ノッチフィルタ
１６  二乗法則ディテクタ
２１  端子
２２  ローパスノッチフィルタ
２２A  伝送ライン
２２B  伝送ライン
２２C  １／４波長スタブ
２２D  短絡線
２４  ダイオド
２６  ビデオローパスフィルタ
２８  増幅機
【図１】
0004142314.tif 000002
【図２】
0004142314.tif 000003